(57)【要約】      （修正有）【課題】障害物のある場所・家具の隙間を快適に清掃可能とする掃除機ヘッドを提供する。【解決手段】掃除機ヘッド１００のヘッド本体部２０は、接続パイプ部１０の中空の内部空間と繋がった中空の内部空間を有すると共に、長手方向Ｄ１へ延在している。一対のスイングヘッド部３０（３０Ａ，３０Ｂ）は、それぞれ円柱軸とバネ部材を介してヘッド本体部の先端部２０Ｅ１に取り付けられており、ヘッド本体部の内部空間と繋がった中空の吸込み口部としての内部空間を有する。各スイングヘッド部は、通常の清掃時には、ヘッド本体部の延在方向Ｄ１に対して略直角の方向に延在して位置しており、障害物に当接した場合には、通常の清掃時に於ける位置を基点として、ヘッド本体部の延在方向Ｄ１と略平行な位置まで左右の方向ＡＲに自在に回動する。【選択図】図３
0003201483.tif 000002
【実用新案登録請求の範囲】
【請求項１】
貫通した中空の内部空間を有する接続パイプ部と、
前記接続パイプ部の前記内部空間と繋がった中空の内部空間を有すると共に、長手方向へ延在するヘッド本体部と、
前記ヘッド本体部の先端部に取り付けられており、前記ヘッド本体部の前記内部空間と繋がった中空の吸込み口部としての内部空間を有する、少なくとも一つのスイングヘッド部と
を備えており、
前記少なくとも一つのスイングヘッド部は、
通常の清掃時には、前記ヘッド本体部の前記長手方向に対して略直角の方向に延在して位置している一方、
清掃時に障害物に当該少なくとも一つのスイングヘッド部が当接した場合には、前記通常の清掃時に於ける前記位置を基点として前記ヘッド本体部の前記長手方向と略平行な方向に位置するまで左右に自在に回動するスイング動作を行う
ことを特徴とする、掃除機ヘッド。
【請求項２】
請求項１に記載の掃除機ヘッドであって、
前記ヘッド本体部の前記長手方向に直交する幅方向に於ける幅寸法は、前記接続パイプ部の幅寸法と略同等である
ことを特徴とする、掃除機ヘッド。
【考案の詳細な説明】
【技術分野】
【０００１】
この考案は、電気掃除機（以下「掃除機」という。）のホースに接続される掃除機ヘッドの構造に関する。
【背景技術】
【０００２】
掃除機の掃除機ヘッドの吸込み口部を成す先端部は、一般的に、平面視において略Ｔ字型の形状を成しているが、掃除機ヘッドの構成は千差万別である（例えば特許文献１参照。）。
【先行技術文献】
【特許文献】
【０００３】
【特許文献１】特開２０１５−０５１１１７号公報
【考案の概要】
【考案が解決しようとする課題】
【０００４】
ダイニングに於けるテーブル（食卓）の下方部分には、食べこぼし等のゴミが多く存在しているので、当該テーブル下部は頻繁に掃除機で掃除する必要性が高い場所である。
【０００５】
しかしながら、従来の掃除機で当該テーブル下部を掃除する場合には、ヘッド部分の形状が上記の通りＴ字型等の形状であるために、テーブルにある椅子の脚が障害物となって掃除の邪魔となるために、そのままでは掃除しにくいという問題点がある。そのために、掃除の際に、一々、椅子を動かすという面倒な作業が必要となり、楽々に掃除をすることが出来ない。その場合、椅子を動かさずに掃除をする場合でも、その度毎に、掃除機のヘッド部分を取りはずして椅子という障害物をかわした上で、ヘッド部分を掃除機に再び取り付けて掃除を行うという、同じく面倒な作業が必要となる。何れにしても、テーブルの下方部分を快適に楽々と掃除することが難しいのが現実である。
【０００６】
また、従来の掃除機のＴ字型のヘッド部分を、家具間の隙間或いは家具と壁との隙間等の比較的に狭い場所に入れることは、容易ではない。その場合、Ｔ字型のヘッド部分を細長い棒状の別のヘッド部分に交換して当該狭い場所を掃除することも出来るが、その場合であっても、その都度に当該交換作業が必要となり、そのため、楽々と快適に掃除をすることが難しいのが現実である。
【０００７】
これらの問題点は、従来の掃除機ヘッドの構造に起因する問題点である。
【０００８】
この考案は斯かる課題認識を踏まえて成されたものであって、その主目的は、清掃時に清掃場所の障害物を受け流して快適な掃除を可能とする掃除機ヘッドを提供することにある。
【課題を解決するための手段】
【０００９】
本考案の主題に係る掃除機ヘッドは、貫通した中空の内部空間を有する接続パイプ部と、  前記接続パイプ部の前記内部空間と繋がった中空の内部空間を有すると共に、長手方向へ延在するヘッド本体部と、前記ヘッド本体部の先端部に取り付けられており、前記ヘッド本体部の前記内部空間と繋がった中空の吸込み口部としての内部空間を有する、少なくとも一つのスイングヘッド部を備えており、前記少なくとも一つのスイングヘッド部は、通常の清掃時には、前記ヘッド本体部の前記長手方向に対して略直角の方向に延在して位置している一方、清掃時に障害物に当該少なくとも一つのスイングヘッド部が当接した場合には、前記通常の清掃時に於ける前記位置を基点として前記ヘッド本体部の前記長手方向と略平行な方向に位置するまで左右に自在に回動するスイング動作を行うことを特徴とする。
【考案の効果】
【００１０】
本考案の主題に係る掃除機ヘッドは、例えば椅子の脚等の障害物がある場合の清掃作業時に、或いは、通常の掃除機ヘッドでは入り込めない様な相対的に狭い隙間、例えば、家具の隙間等の狭い場所の清掃作業時に、次の様な威力ないしは作用・効果を発揮し得る。
【００１１】
即ち、掃除機ヘッドを対峙する障害物の先の場所或いは当該障害物同士で挟まれた隙間の場所を清掃する場合には、掃除機ヘッドの前方移動に応じて、スイングヘッド部は、障害物に当接しつつ、ヘッド本体部寄り側（内側）の、長手方向と略平行な方向に位置するまで、通常の清掃時に於ける配設位置より徐々に右回り又は左回りの内の一方向に回転してスイングしていく。その結果、スイングヘッド部がヘッド本体部側の、長手方向に対して略平行となる位置にまで折り畳まれて到達すると、ヘッド本体部と接続パイプ部とより成る掃除機ヘッドは、そのまま、障害物間を通り抜けて、その前方の場所に到達し或いは障害物間の隙間に入り込んでしまう。この様に、スイングヘッド部は、そのスイング動作により、掃除機ヘッドの前方移動に応じて、当接した障害物を受け流してしまい、掃除機ヘッドは、障害物の存在に拘わらず、そのまま障害物間を通り抜け或いは障害物間の隙間に入り込んでしまう。掃除機ヘッドが障害物間を通り抜けると、或いは、掃除機ヘッドが障害物間の隙間より出てくると、即座に、スイングヘッド部は、そのスイング動作により、逆に左回り又は右回りの内の一方向に回転して、通常の清掃時に於ける配設位置に戻る。この場合、スイングヘッド部は、障害物間を通り抜けた先の前方の場所のゴミ・塵等を、或いは、入り込んだ障害物間の隙間の場所のゴミ・塵等を、その吸込み口部としての内部空間より吸引して、当該場所を清掃する。
【００１２】
これに対して、障害物間を通り抜けて前方の場所を清掃し終わった掃除機ヘッドを障害物間に向けて後方移動させる場合には、当該後方移動に応じて、スイングヘッド部は、障害物に当接しつつ、ヘッド本体部の前方寄り側（外側）の、長手方向と略平行な方向に位置するまで、通常の清掃時に於ける配設位置より徐々に左回り又は右回りの内の一方向に回転してスイングしていく。その結果、スイングヘッド部がヘッド本体部の前方寄り側の、長手方向に対して略平行となる位置にまで折り畳まれて到達すると、掃除機ヘッドは、後方移動しながら、そのまま、障害物間を難なく通り抜けてしまう。その際、障害物を移動させる又は取り除く必要性は全く無い。そして、掃除機ヘッドが障害物間を通り抜けると、即座に、スイングヘッド部は、そのスイング動作により、逆に右回り又は左回りの内の一方向に回転して、通常の清掃時に於ける配設位置に戻る。
【００１３】
以上のスイングヘッド部が奏するスイング動作により、清掃者は、椅子の脚又は家具等の障害と成る物を清掃時に一々移動させることなく、且つ、掃除機ヘッドを一々掃除機から取り外すことなく、対峙する障害物間の前方の場所（例：食卓の下の場所）を、或いは、当該障害物間の狭い隙間（例：家具の隙間）の場所を、ストレスを感じることなく、楽々、快適に掃除することが出来る。
【００１４】
以下、本考案の様々な具体化を、添付図面を基に、その効果・利点と共に、詳述する。
【図面の簡単な説明】
【００１５】
【図１】本考案の実施の形態１に係る掃除機ヘッドを正面前方から俯瞰気味に眺めた際の構成を模式的に示す俯瞰図である。
【図２】本考案の実施の形態１に係る掃除機ヘッドの構成を模式的に示す正面図である。
【図３】本考案の実施の形態１に係る掃除機ヘッドをサイドから眺めた際の構成を模式的に示す斜視図である。
【図４】本考案の実施の形態１に係る掃除機ヘッドのスイングヘッド部の動作及び利点を模式的に示す図である。
【考案を実施するための形態】
【００１６】
（実施の形態１）
本実施の形態に係る掃除機ヘッドは、大要、次の特徴点を有する。
【００１７】
１）ヘッド本体部の先端のゴミ・塵等を吸い込むスイングヘッド部は、ヘッド本体部の移動に伴う障害物との接触に応じてスイング動作を行って、当該障害物を受け流す機能を呈する。
【００１８】
２）スイングヘッド部がヘッド本体部内に折り畳まれた状態に於いては、掃除機ヘッドの露出部は概してヘッド本体部と接続パイプ部とから成り、その際のヘッド本体部の幅寸法は接続パイプ部の幅寸法と略同一となる。その結果、より狭い場所の掃除がはかどることとなる。
【００１９】
この様な、掃除を行う場所の障害物を受け流して快適で楽な掃除を実現し得る本実施の形態に係る掃除機ヘッドの構造及び動作の詳細を、図面を参照しつつ、以下に詳述する。
【００２０】
＜掃除機ヘッドの構造＞
図１は、本実施の形態に係る掃除機ヘッド１００を正面前方から俯瞰気味に眺めた際の構成を模式的に示す俯瞰図である。又、図２は、図１の矢印ＡＲ１の方向から掃除機ヘッド１００を眺めた際の掃除機ヘッド１００の真正面側の構成を模式的に示す正面図である。図２中、外部からは見えない内部の各部分の大部分は、便宜上、破線で描かれている。更に、図３は、掃除機ヘッド１００をサイドから眺めた際の構成を模式的に示す斜視図である。
【００２１】
掃除機ヘッド１００は、大要、接続パイプ部１０、ヘッド本体部２０及び１対のスイングヘッド部３０（右側の第１スイングヘッド部３０Ａ及び左側の第２スイングヘッド部３０Ｂ）を有する。
【００２２】
Ａ．  その内、接続パイプ部１０は、掃除機（図示せず。）のホースの先端部に接続される部分であり、貫通した中空の内部空間（図示せず。）を有する。接続パイプ部１０は、例えばポリプロピレン（一例）より成る第１部分１０Ａ及び例えばＡＢＳ樹脂（一例）より成る第２部分１０Ｂを有する。この接続パイプ部１０がヘッド本体部２０に対して全体的に一定の角度範囲内で上下に自在に回動可能となる様に、第２部分１０Ｂがヘッド本体部２０の後端部２０Ｅ２側に取り付けられている。又、接続パイプ部１０の第１部分１０Ａは、３６０°の角度範囲内で第２部分１０Ｂの周りに旋回可能となる様に、第２部分１０Ｂに取り付けられている。
【００２３】
Ｂ．  ヘッド本体部２０は、長手方向ないしは延在方向Ｄ１に沿って延在した部分であり、大要、先端部２０Ｅ１側の第１部分２０Ｐ１、中央部分の第２部分２０Ｐ２、及び、後端部２０Ｅ２側の第３部分２０Ｐ３より成る。これらの内で、第２部分２０Ｐ２は、第３部分２０Ｐ３よりも凹状に窪んだ部分である。換言すれば、第２部分２０Ｐ２の凹状底面２０ＣＢＳよりも、第３部分２０Ｐ３の底面２０ＢＳは突出した状態にある。この第２部分２０Ｐ２の凹状の窪み部分は、後述する通り、障害物に当接して折り畳まれた１対のスイングヘッド部３０がそこに収納される部分に該当する。又、第３部分２０Ｐ３の底面２０ＢＳの中央部分には、２個の車輪（図示せず。）が設けられている。同様に、第１部分２０Ｐ１の底面にも、上記２個の車輪と同一寸法の２個の車輪２０Ｗ（図示の便宜上、ハッチング表示されている。）が取り付けられている。これらの車輪２０Ｗ・・・のホイールは例えばポリアセタール（一例）より成り、車軸（図示せず。）は例えばスチール（一例）より成る。そして、図１に例示される様に、ヘッド本体部２０は、接続パイプ部１０の上記内部空間（図示せず。）と繋がった中空の内部空間２０ＩＳを有する。尚、ヘッド本体部１０は、例えばＡＢＳ樹脂等の樹脂より成る。
【００２４】
ヘッド本体部２０の特徴点としては、その幅寸法にある。即ち、ヘッド本体部２０の長手方向Ｄ１に直交する幅方向Ｄ２に於ける幅寸法Ｗは、接続パイプ部１０の幅寸法と略同等である。ここでは、一例として、幅寸法Ｗは５ｃｍである。尚、本例では、一例として、後述の一対のスイングヘッド部３０が通常の清掃時の位置にある場合、つまり、スイングヘッド部３０がスイング動作を行わない場合に於ける一対のスイングヘッド部３０乃至は掃除機ヘッド１００の幅方向Ｄ２に於ける幅寸法は、約２５ｃｍである。
【００２５】
この様に、ヘッド本体部２０の幅寸法Ｗが接続パイプ部１０の幅寸法と略同等であるため、一対のスイングヘッド部３０がそのスイング動作により第２部分２０Ｐ２の上記凹状の窪み部分内に折り畳まれて収納されている場合には（後述する図４（ａ）を参照。）、掃除機ヘッド１００自体の幅寸法は幅寸法Ｗとなる。このため、家具間の隙間等の比較的狭い場所に容易に掃除機ヘッド１００を入り込ますことが出来、その結果、当該狭い場所での掃除がより一層にはかどるという利点が得られる。
【００２６】
Ｃ．  これに対して、１対のスイングヘッド部３０（３０Ａ，３０Ｂ）の各々は、掃除機ヘッド１００の特徴的な構造を有する部分であって、掃除機ヘッド１００の中核部分を成す部分である。その特徴部分は、１対のスイングヘッド部３０の各々が奏する「スイング動作」にある。即ち、第１及び第２スイングヘッド部３０Ａ，３０Ｂは、共に、１）通常の清掃時には、ヘッド本体部２０の長手方向Ｄ１に対して略直角の方向に延在して位置している一方、２）清掃時に障害物に当接した場合には、通常の清掃時に於ける位置を基点として長手方向Ｄ１と略平行な方向に位置するまで左右方向ＡＲに自在に回動するスイング動作を行う。この「スイング動作」を実現する第１及び第２スイングヘッド部３０Ａ，３０Ｂの構成は任意であって、種々の構成方法が考えられるところである。本実施の形態では、その構成の一例が、図２に基づき、記載される。
【００２７】
尚、第１及び第２スイングヘッド部３０Ａ，３０Ｂに於いて、図面に於いて便宜上ハッチング表示されているサンドイッチ部分３１を除いた部分は、例えばＡＢＳ樹脂の様な樹脂より成る。それに対して、上記のサンドイッチ部分３１は、例えばスチレン系のエラストマー（一例）より成り、その弾性により、掃除をする際に生じる衝突を吸収する部分である。
【００２８】
図２に於いて、第１及び第２スイングヘッド部３０Ａ，３０Ｂは、ヘッド本体部２０の先端部２０Ｅ１側の第１部分２０Ｐ１に回動自在に取り付けられており、ヘッド本体部２０の中空内部空間２０ＩＳと繋がった、中空の吸込み口部としての内部空間３０ＩＳを有する。即ち、第１及び第２スイングヘッド部３０Ａ，３０Ｂは、内部空間３０ＩＳを介して、ゴミ・塵等を吸い込む部分である。
【００２９】
そして、ヘッド本体部２０の第１部分２０Ｐ１は、上方に突出した、内部空間３０ＩＳと繋がった中空の内部空間を有する、左右対称の略円柱状の突出部分２３を有する。この略円柱状の突出部分２３の側面の略半分は欠損されていて、この欠損部分を通じて、突出部分２３の上記中空内部空間は、ヘッド本体部２０の第２部分２０Ｐ２に於ける中空内部空間２０ＩＳと繋がっている。そして、左右に配設された突出部分２３の上面と天井面２０ＲＰとの間には、２本の対向する円柱軸（図示せず。）が設けられており、これらの円柱軸の各々に、例えば共にステンレス鋼（一例）より成るバネ部材２１，２２が、それぞれ、巻き付けられて取り付けられている。その上で、第１及び第２スイングヘッド部３０Ａ，３０Ｂの一端側の上面より突出する略円柱状の各突出部分３２が、両バネ部材２１，２２を挟み込みつつ両バネ部材２１，２２の周りを回動し得る様に、対応する突出部分２３に嵌め込まれている。各突出部分３２もまた、対応する突出部分２３と同様に、欠損部分を有しており、この欠損部分を通じて中空内部空間同士の導通を確保している。換言すれば、各突出部分３２は、対応する突出部分２３の中心軸を回動軸として、当該突出部分２３の側面の周りを回動する。
【００３０】
上記の両バネ部材２１，２２の縮み及び戻りを利用した第１及び第２スイングヘッド部３０Ａ，３０Ｂのスイング動作は、次の通りである。今、第１及び第２スイングヘッド部３０Ａ，３０Ｂを、図２の紙面に対して垂直下方へと移動させていくと、当該移動に応じて、各スイングヘッド部３０Ａ，３０Ｂの突出部分３２は、対応するバネ部材２２の突出端部に接触すると共に、当該接触状態を保ちつつ当該バネ部材２２を縮ませていく。そして、第１及び第２スイングヘッド部３０Ａ，３０Ｂの上記移動を中止すると、縮み込んだ状態にある当該バネ部材２２が伸びようとする反動によって元の位置に押し戻す。この押し戻しにより、第１及び第２スイングヘッド部３０Ａ，３０Ｂは、元の通常時の位置に戻る。他方、第１及び第２スイングヘッド部３０Ａ，３０Ｂを、図２の紙面に対して垂直上方へと移動させていくと、当該移動に応じて、各スイングヘッド部３０Ａ，３０Ｂの突出部分３２は、対応するバネ部材２１の突出端部に接触すると共に、当該接触状態を保ちつつ当該バネ部材２１を縮ませていく。そして、第１及び第２スイングヘッド部３０Ａ，３０Ｂの上記移動を中止すると、縮み込んだ状態にある当該バネ部材２１が伸びようとする反動によって元の位置に押し戻す。この押し戻しにより、第１及び第２スイングヘッド部３０Ａ，３０Ｂは、元の通常時の位置に戻る。
【００３１】
＜掃除機ヘッドの動作＞
以下では、上記の第１及び第２スイングヘッド部３０Ａ，３０Ｂのスイング動作を利用した掃除機ヘッド１００の動作・利点について、図４を参照しつつ、記載する。ここで、図４は、掃除機ヘッド１００の一対のスイングヘッド部３０の動作及び利点を模式的に示す図である。図４に於いて、参照符号ＯＢは、対峙ないしは対向する椅子の脚等の障害物を示す。
【００３２】
先ず、図４（ａ）は、掃除機ヘッド１００を対峙する障害物ＯＢの前方の場所或いは当該障害物ＯＢ同士で挟まれた隙間の場所を清掃する場合に於いて、掃除機ヘッド１００を前方方向ＡＲ２へ移動する際の一対のスイングヘッド部３０の動作を示している。掃除機ヘッド１０の当該移動に応じて、第１及び第２スイングヘッド部３０Ａ，３０Ｂは、それぞれ、障害物ＯＢに当接しつつ、ヘッド本体部２０寄り側（内側）の、長手方向Ｄ１と略平行な方向に位置するまで、通常の清掃時に於ける配設位置より徐々に右回り及び左回りの方向Ａ１，Ａ２に回転してスイングしていく。その結果、第１及び第２スイングヘッド部３０Ａ，３０Ｂがヘッド本体部２０側の、長手方向Ｄ１に対して略平行となる位置にまで到達すると、破線で示される様に、第１及び第２スイングヘッド部３０Ａ，３０Ｂは、ヘッド本体部２０の第２部分２０Ｐ２の上記凹状窪み部分内に折り畳まれて収納される。その状態に於いては、掃除機ヘッド１００の幅寸法は、ヘッド本体部２０の幅寸法Ｗと同等となる。このスイング動作により、掃除機ヘッド１００は、そのまま、障害物ＯＢ間を通り抜けて、その前方の場所に容易に到達し、或いは、障害物ＯＢ間の隙間に容易に入り込んでしまう。この様に、第１及び第２スイングヘッド部３０Ａ，３０Ｂは、そのスイング動作により、掃除機ヘッド２０の前方移動に応じて、当接した障害物ＯＢを受け流してしまい、掃除機ヘッド１００は、障害物ＯＢの存在に拘わらず、そのまま障害物ＯＢ間を通り抜け、或いは、障害物ＯＢ間の隙間に入り込んでしまう。
【００３３】
掃除機ヘッド１００が障害物ＯＢ間を通り抜けると、或いは、掃除機ヘッド１００が障害物ＯＢ間の隙間より出てくると、即座に、第１及び第２スイングヘッド部３０Ａ，３０Ｂは、そのスイング動作により、逆に左回り及び右回りの方向に回転して、第２部分２０Ｐ２の上記凹状窪み部分内に折り畳まれた状態から、通常の清掃時に於ける配設位置に戻る。この場合、第１及び第２スイングヘッド部３０Ａ，３０Ｂは、障害物ＯＢ間を通り抜けた先の前方の場所のゴミ・塵等を、或いは、入り込んだ障害物ＯＢ間の隙間の場所のゴミ・塵等を、その吸込み口部としての内部空間３０ＩＳより吸引して、当該場所を清掃する。
【００３４】
次に、図４（ｂ）は、障害物ＯＢ間を通り抜けて前方の場所を清掃し終わった掃除機ヘッド１００を、障害物ＯＢ間に向けて後方方向ＡＲ３へ移動させる場合の状態を示している。この場合には、掃除機ヘッド１００の当該後方移動に応じて、第１及び第２スイングヘッド部３０Ａ，３０Ｂは、それぞれ、障害物ＯＢに当接しつつ、ヘッド本体部２０の前方寄り側（外側）の、長手方向Ｄ１と略平行な方向に位置するまで、通常の清掃時に於ける配設位置より徐々に左回り及び右回りの方向Ａ３，Ａ４に回転してスイングしていく。その結果、第１及び第２スイングヘッド部３０Ａ，３０Ｂは、共に、ヘッド本体部２０の前方寄り側の、長手方向Ｄ１に対して略平行となる位置にまで折り畳まれて到達する。このときの掃除機ヘッド１００の幅寸法もまた、ヘッド本体部２０の幅寸法Ｗに略等しい。そのため、掃除機ヘッド１００は、後方方向ＡＲ３に沿って移動しながら、そのまま、障害物ＯＢ間を難なく通り抜けてしまう。その際に、障害物ＯＢを移動させる又は障害物ＯＢを取り除く必要性は全く無い。そして、掃除機ヘッド１００が障害物ＯＢ間を通り抜けると、即座に、第１及び第２スイングヘッド部３０Ａ，３０Ｂは、そのスイング動作により、逆に右回り及び左回りの方向に回転して、通常の清掃時に於ける配設位置に戻る。
【００３５】
以上の一対のスイングヘッド部３０が奏するスイング動作により、清掃者は、椅子の脚又は家具等の障害と成る物を清掃時に一々移動させることなく、且つ、掃除機ヘッドを一々掃除機から取り外すことなく、対峙する障害物間の前方の場所（例：食卓の下の場所）を、或いは、当該障害物間の狭い隙間（例：家具の隙間）の場所を、ストレスを感じることなく、楽々、快適に掃除することが出来る。しかも、一対のスイングヘッド部３０が折り畳まれている場合には、ヘッド本体部２０の幅寸法Ｗは接続パイプ部１０の幅寸法（例：約５ｃｍ）と同等となるので、比較的に狭い場所の掃除がより一層にはかどることとなる。
【００３６】
（変形例）
実施の形態１では、スイングヘッド部は１対の（２個の）スイングヘッド部３０Ａ，３０Ｂより構成されていたが、これに限定されるものではなく、スイングヘッド部は少なくとも１個の部分より構成されていれば良い。その場合でも、既述の作用・効果が同様に得られる。
【００３７】
（付記）
以上、本考案の実施の形態を詳細に開示し記述したが、以上の記述は本考案の適用可能な局面を例示したものであって、本考案はこれに限定されるものではない。即ち、記述した局面に対する様々な修正及び／又は変形例を、この考案の範囲から逸脱することの無い範囲内で考えることが可能である。
【産業上の利用可能性】
【００３８】
本考案は、例えば、掃除機本体に繋げてダイニング等の場所の掃除に使用する掃除機ヘッドに適用して好適である。
【符号の説明】
【００３９】
１００  掃除機ヘッド
１０  接続パイプ部
２０  ヘッド本体部
３０，３０Ａ，３０Ｂ  スイングヘッド部
Ｄ１  ヘッド本体部の長手方向（延在方向）
【図１】
0003201483.tif 000003
【図２】
0003201483.tif 000004
【図３】
0003201483.tif 000005
【図４】
0003201483.tif 000006